(57)【要約】【課題】電力量計を交換する作業を行うに際して、電力量計から延出する電源側電線と負荷側電線とを簡易かつ安全に短絡させ、電源側から負荷側への迂回通電回路を形成する。【解決手段】プラグ受け２０２が備える二つのプラグソケット２０３の各々から延出するコード２０４の一方は、電源側電線１０２ａを構成する配線１０７（第１の電圧線１０４、中性線１０５、第２の電圧線１０６）の一つに接続し、この配線１０７による電気回路の一部をなす。コード２０４の他方は、負荷側電線１０２ｂを構成する配線１０７のうち一方のコード２０４の接続先の電位と同じものに接続する。プラグ受け２０２は、電源側電線１０２ａや負荷側電線１０２ｂを構成する配線１０７の全てに取り付けられる。短絡プラグ３０１からは、二つのプラグ体３０４が同じ向きに突出している。作業者は、個々のプラグ受け２０２のプラグソケット２０３に対し、短絡プラグ３０１を装着する。【選択図】図１
2010237052.tif 000002
【特許請求の範囲】
【請求項１】
ハウジングと、
挿入孔部が前記ハウジングの一側面に並んで露出するよう当該ハウジングに設けられ、当該挿入孔部に着脱自在に嵌合する形状のプラグ体が同じ向きに二つ突出している短絡プラグが装着される二つのプラグソケットと、
一方の前記プラグソケットから延出し、電源側の電線を構成し電力量計に接続する配線群による複数の電気経路の一に接続する第１のコードと、
他方の前記プラグソケットから延出し、負荷側の電線を構成し前記電力量計に接続する配線群による複数の電気経路のうち前記第１のコードの接続先の電位に等しい電気経路に接続する第２のコードと、
を備えるプラグ受け。
【請求項２】
前記ハウジングは、前記二つのプラグソケットの並ぶ方向に扁平な形状を有する、請求項１記載のプラグ受け。
【請求項３】
前記第１のコード及び第２のコードは、等しい長さを有する、請求項２記載のプラグ受け。
【請求項４】
前記プラグソケットを一側面側に並べて個々の当該プラグ受けのハウジングを積み重ねて集約された状態で、前記プラグソケットが並ぶ側面を覆う位置にカバーを装着するためのカバー取付部を形成する、請求項２又は３記載のプラグ受け。
【発明の詳細な説明】
【技術分野】
【０００１】
本発明は、停電状態を発生させること無く電力量計を交換できるように、電力量計から延びる電線の電源側と負荷側とを短絡させるためのプラグ受けに関する。
【背景技術】
【０００２】
従来、家庭や店舗等の需要家における電気の使用量を計測するための電力量計（メーター）がある。公正な料金取引を行うために電力使用量を正確に計測する必要性があることから、電力量計は、所定期間（５年〜１０年）ごとに交換されなくてはならない。そして、需要家での電気製品の使用を中断させないために、電力量計を交換する際に停電状態を生じさせないようにすることが求められる場合がある。
【０００３】
特許文献１には、電線（電源側電線及び負荷側電線）と単相３線式の電力量計との間に取り付けられる電力量計アダプタ装置の発明が開示されている。この電力量計アダプタ装置は、端子側接続部品４０と、計器側接続部品２０とから構成される。計器側接続部品２０は、電源側電線６０の異なる三つの電位に対応する三つのスイッチ端子４３と負荷側電線６１の異なる三つの電位に対応する三つのスイッチ端子からなる六つの切替端子２２を有する。端子側接続部品４０は、六つの切替端子２２に一度に着脱される六つのスイッチ端子４３を有する。この電力量計アダプタ装置では、端子側接続部品４０を持ってスイッチ端子４３を一度に着脱できる。そして、計器側接続部品２０が端子側接続部品４０から外れると、端子側接続部品４０内には、電源側電線６０と負荷側電線６１とを繋ぐバイパス経路５０が形成されるため、停電状態を生じさせずに電力量計を交換できるようになる。
【０００４】
特許文献２には、計器用バイパス端子構造の発明が開示されている。この計器用バイパス端子構造は、個別端子台５と、接続体１５と、により構成される。個別端子台５は、電線（電源側である一次側電線６ａ及び負荷側である二次側電線６ｂ）と電力計器の端子との間に配置される。接続体１５は、個別端子台５の接続凹部１１に接離自在に接触する接触子１６を、ケーブル２０（接続導体）の両端に設けて形成される。そして、接続体１５を用いて一次側電線６ａ及び二次側電線６ｂの同電位同士を短絡することで、電源側から負荷側への迂回通電回路を形成され、停電状態を生じさせずに電力量計を交換できるようになる。
【先行技術文献】
【特許文献】
【０００５】
【特許文献１】特開２００６−２２６９１５号公報（要約、図１、図７）
【特許文献２】特開２００７−２８５７１８号公報（要約、段落００３３、図１）
【発明の概要】
【発明が解決しようとする課題】
【０００６】
しかしながら、特許文献１に記載の電力量計アダプタ装置を用いた場合、一度に六つの切替端子２２をスイッチ端子４３に差し込んだり抜いたりするために、計器側接続部品２０の着脱には大きな力が必要となる。
【０００７】
また、特許文献２に記載の計器用バイパス端子構造を用いた場合、電力量計の交換を行う作業者が、電源側及び負荷側の異なる電位を接続してしまうおそれがある。このような事態を避けるために、ケーブル２０の代わりに柔軟性を有しない素材を用い、二つの接触子１６を同電位同士となる電源側の接続凹部１１と負荷側の接続凹部１１との間隔に位置決めして接続体１５を形成しようとすると、接続体１５の形状が複雑になってしまい、製造コストの上昇に繋がってしまう。
【０００８】
本発明は、上記事情に鑑みてなされたものであり、電力量計から延出する電源側電線と負荷側電線とを簡易かつ安全に短絡させ、電源側から負荷側への迂回通電回路を形成して電力量計を短時間で交換することを目的とする。
【課題を解決するための手段】
【０００９】
本発明のプラグ受けは、ハウジングと、挿入孔部が前記ハウジングの一側面に並んで露出するよう当該ハウジングに設けられ、当該挿入孔部に着脱自在に嵌合する形状のプラグ体が同じ向きに二つ突出している短絡プラグが装着される二つのプラグソケットと、一方の前記プラグソケットから延出し、電源側の電線を構成し電力量計に接続する配線群による複数の電気経路の一に接続する第１のコードと、他方の前記プラグソケットから延出し、負荷側の電線を構成し前記電力量計に接続する配線群による複数の電気経路のうち前記第１のコードの接続先の電位に等しい電気経路に接続する第２のコードと、を備える。
【発明の効果】
【００１０】
本発明によれば、プラグ受けを、電力量計に対して電源側及び負荷側となる電線を構成している配線群の全てに対して取り付けておき、作業者が短絡プラグを各プラグ受けに一つずつ装着することで、電力量計に対する電源側及び負荷側のそれぞれの電線について、この電線を構成する各配線を等電位同士で一組ずつ短絡させることができ、従って、電力量計から延出する電源側電線と負荷側電線とを簡易かつ安全に短絡させることで、電源側から負荷側への迂回通電回路が形成され、停電状態を生じさせずに電力量計を交換できる。
【図面の簡単な説明】
【００１１】
【図１】電力量計の正面図である。
【図２】短絡装置の外観斜視図である。
【図３】短絡プラグ及びプラグ受けの外観斜視図である。
【図４】（ａ）及び（ｂ）は、短絡プラグの先端部分を示す断面図である。
【図５】プラグ受けに装着される短絡プラグを示す右側面図である。
【図６】プラグ受けに短絡プラグが装着された状態の電力量計を示す右側面図である。
【図７】（ａ）及び（ｂ）は、短絡装置に取り付けられるカバーの外観斜視図である。
【発明を実施するための形態】
【００１２】
本発明の実施の一形態について、図１ないし図６に基づいて説明する。
【００１３】
図１は、電力量計１０１の正面図である。一般に、引込線９１は、電柱（図示せず）から需要家にまで引かれている。需要家内には、需要家内に備わる各種電気製品に電気を供給するための電線１０２が敷かれている。電気は、引込線９１から、引込線９１と需要家内の電線１０２との境界に位置し電力会社による管理の境界を定める引込線取付口９２を経由して、需要家内の電線１０２に供給される。
【００１４】
電力量計１０１は、電線１０２内で引込線取付口９２の近くに取り付けられる。電力量計１０１は、ケース１０３に収納された状態で、例えば、需要家の建物の壁面（図示せず）に取り付けられる。ケース１０３には、ケース１０３を隠すケースカバー１０３ａ（図６参照）が取り付けられている。
【００１５】
電線１０２は、赤色の被覆部材で覆われた第１の電圧線１０４と、白色の被覆部材で覆われた中性線１０５と、黒色の被覆部材で覆われた第２の電圧線１０６という三本の配線１０７が、さらに別の被覆部材によって束ねられて構成される。電線１０２は、電源側（電柱、引込線側）の電源側電線１０２ａと、負荷側（需要家側）の負荷側電線１０２ｂとに分かれており、電源側電線１０２ａ及び負荷側電線１０２ｂの境界部分は、コード２０４（後述）を介して、電力量計１０１の下部に接続する。また、ケース１０３及びケースカバー１０３ａの下方は、二つの挿入孔部１０２ｃが形成するための凹部１０２ｄを有する。一方の凹部１０２ｄには、電源側電線１０２ａが位置付けられる。他方の凹部１０２ｄには、負荷側電線１０２ｂが位置付けられる。
【００１６】
電力量計１０１は、使用電力に応じた速度で回転する円盤を内部に有する誘導型のもので、単相三線式である。この電力量計１０１は、下部に、各電線１０２（電源側電線１０２ａ、負荷側電線１０２ｂ）を構成する各配線１０７（第１の電圧線１０４、中性線１０５、第２の電圧線１０６）に対応する六つの取付端子１０８を横方向に並べて有する。説明のために、これらの各取付端子１０８を、電力量計１０１を正面視した状態で見て左側から右側に向けて順に取付端子１０８ａ、１０８ｂ、…、１０８ｆと呼ぶ。各取付端子１０８ａ〜１０８ｆは、電源側電線１０２ａを構成する第１の電圧線１０４、電源側電線１０２ａを構成する中性線１０５、電源側電線１０２ａを構成する第２の電圧線１０６、負荷側電線１０２ｂを構成する第２の電圧線１０６、負荷側電線１０２ｂを構成する中性線１０５、負荷側電線１０２ｂを構成する第１の電圧線１０４に対応する。
【００１７】
電力量計１０１と電線１０２（電源側電線１０２ａ及び負荷側電線１０２ｂ）との間には、短絡装置２０１が取り付けられる。短絡装置２０１は、三つのプラグ受け２０２を積み重ねて集約して構成される。プラグ受け２０２は、それぞれ、正面側に二つのプラグソケット２０３を有する。また、プラグ受け２０２は、それぞれ、二本のコード２０４を備える。これらの二本のコード２０４は、プラグ受け２０２の背面から延びている。このコード２０４の先端は、電力量計１０１に備わる取付端子１０８に取り付けられる。また、電力量計１０１には、取付端子カバー１０９が取り付けられる。取付端子カバー１０９は、取付端子１０８を覆う位置に位置付けられ、螺子止め等によって着脱自在となっている。
【００１８】
短絡装置２０１を構成するプラグ受け２０２には、短絡プラグ３０１が装着される。短絡プラグ３０１は、電源側電線１０２ａの一の配線１０７と負荷側電線１０２ｂの一の配線１０７とを、同じ電位で短絡させる。
【００１９】
図２は、短絡装置２０１の外観斜視図である。短絡装置２０１を構成するプラグ受け２０２は、いずれも、扁平状で直方体形のハウジング２０６を有する。ハウジング２０６は、二つのプラグソケット２０３を並べて収納する。このプラグソケット２０３の挿入孔部２０３ａは、ハウジング２０６が形成する一方の端面２０７に並んで露出する。短絡装置２０１は、このようなプラグ受け２０２のハウジング２０６の平面部分２０９を上下に重ねあわせ、プラグソケット２０３の挿入孔部２０３ａが露出する端面２０７を一方に揃えた状態で積み重ねて集約し、平面部分２０９同士を接着剤等で接着して構成される。以下、説明の便宜上、一番上に位置するプラグ受け２０２を第１のプラグ受け２０２ａと呼ぶ。また、中段に位置するプラグ受け２０２を第２のプラグ受け２０２ｂと呼ぶ。また、一番下に位置するプラグ受け２０２を第３のプラグ受け２０２ｃと呼ぶ。
【００２０】
各ハウジング２０６において、端面２０７とは反対側の別の端面２０８からは、二本のコード２０４が延出する。一つのプラグ受け２０２から延出する二本のコード２０４の長さは、同じである。また、三つのプラグ受け２０２から延出するコード２０４のそれぞれの長さを比較すると、第３のプラグ受け２０２ｃから延出するコード２０４の長さが最も長く、第２のプラグ受け２０２ｂ、第１のプラグ受け２０２ａの順にコード２０４は短くなる。また、三つのプラグ受け２０２（第１のプラグ受け２０２ａ、第２のプラグ受け２０２ｂ、第３のプラグ受け２０２ｃ）のいずれについても、プラグソケット２０３の挿入孔部２０３ａが露出する端面２０７を見た場合の左側から延出するコード２０４は左側のプラグソケット２０３に、右側から延出するコード２０４は右側のプラグソケット２０３に、それぞれ接続する。これに対し、プラグソケット２０３同士もしくはコード２０４同士は接続されていない（図３参照）。
【００２１】
各プラグ受け２０２のいずれについても、コード２０４の被覆材２１０の一部が２５ｍｍ程度剥がされて、導線が露出する露出部分２１１が形成される。この露出部分２１１には、電線１０２（電源側電線１０２ａ及び負荷側電線１０２ｂ）を構成する配線１０７（第１の電圧線１０４、中性線１０５、第２の電圧線１０６）の先端で露出している導線先端部１１０が接続する。この導線先端部１１０とコード２０４の露出部分２１１とを接続し固定する際には、分岐スリーブ２０５（図１参照）が用いられる。また、いずれのコード２０４についても、その先端には、被覆材２１０が剥がされて導線が露出すコード先端部２１２が形成される。このコード先端部２１２は、電力量計１０１の取付端子１０８に取り付けられる。
【００２２】
電源側電線１０２ａを構成する第１の電圧線１０４の導線先端部１１０は、第３のプラグ受け２０２ｃの左側のプラグソケット２０３から延出するコード２０４の露出部分２１１に接続し（図１参照）、このコード２０４のコード先端部２１２は取付端子１０８ａに接続する。
【００２３】
また、電源側電線１０２ａを構成する中性線１０５の導線先端部１１０は、第２のプラグ受け２０２ｂの左側のプラグソケット２０３から延出するコード２０４の露出部分２１１に接続し（図１参照）、このコード２０４のコード先端部２１２は取付端子１０８ｂに接続する。
【００２４】
また、電源側電線１０２ａを構成する第２の電圧線１０６の導線先端部１１０は、第１のプラグ受け２０２ａの左側のプラグソケット２０３から延出するコード２０４の露出部分２１１に接続し（図１参照）、このコード２０４のコード先端部２１２は取付端子１０８ｃに接続する。
【００２５】
また、負荷側電線１０２ｂを構成する第２の電圧線１０６の導線先端部１１０は、第１のプラグ受け２０２ａの右側のプラグソケット２０３から延出するコード２０４の露出部分２１１に接続し（図１参照）、このコード２０４のコード先端部２１２は取付端子１０８ｄに接続する。
【００２６】
また、負荷側電線１０２ｂを構成する中性線１０５の導線先端部１１０は、第２のプラグ受け２０２ｂの右側のプラグソケット２０３から延出するコード２０４の露出部分２１１に接続し（図１参照）、このコード２０４のコード先端部２１２は取付端子１０８ｅに接続する。
【００２７】
また、負荷側電線１０２ｂを構成する第１の電圧線１０４の導線先端部１１０は、第３のプラグ受け２０２ｃの右側のプラグソケット２０３から延出するコード２０４の露出部分２１１に接続し（図１参照）、このコード２０４のコード先端部２１２は取付端子１０８ｆに接続する。
【００２８】
つまり、一のプラグ受け２０２から延出する二本のコード２０４は、それぞれ、電源側電線１０２ａを構成する配線１０７と、この配線１０７と同じ電位の負荷側電線１０２ｂの配線１０７との両方に接続して、電源側電線１０２ａから電力量計１０１を経由して負荷側電線１０２ｂに流れる電気経路の一部を構成する。このようなコード２０４を有するプラグ受け２０２は、電線１０２（電源側電線１０２ａ、負荷側電線１０２ｂ）を構成する第１の電圧線１０４、中性線１０５及び第２の電圧線１０６の全てに対して設けられる。
【００２９】
ここで、短絡装置２０１を構成する個々のプラグ受け２０２のそれぞれからは、同じ長さの二本のコード２０４が端面２０８から延出している。このため、コード２０４のコード先端部２１２が取付端子１０８に取り付けられると、短絡装置２０１は、列状に並ぶ取付端子１０８の略中央位置に位置付けられる（図１参照）。そして、コード２０４の長さは、最下段に位置する第３のプラグ受け２０２ｃから延出するものが最も長く、第２のプラグ受け２０２ｂから延出するもの、第１のプラグ受け２０２ａから延出するものの順に短くなっている。このため、短絡装置２０１は、電力量計１０１に取り付けられると、プラグソケット２０３の挿入孔部２０３ａを備える側面が正面に向く（図１及び図６参照）。そして、短絡装置２０１を構成する三つのプラグ受け２０２からのコード２０４は、左右に略対称に並ぶ（図１参照）。
【００３０】
作業者は、短絡装置２０１を電力量計１０１に装着するに際して、まず、短絡装置２０１を正面にして立つ。この状態で、作業者は、プラグソケット２０３の挿入孔部２０３ａが並んでいる短絡装置２０１の一側面を手前側に向け、短絡装置２０１の背面側から延出する六本のコード２０４の個々のコード先端部２１２のそれぞれを、電力量計１０１の取付端子１０８に取り付ける。このとき、コード２０４は、短絡装置２０１を中心に据えてそこから左右対称に並んでいる。このため、作業者は、コード２０４を交差させてコード先端部２１２を誤った取付端子１０８に装着してしまうような、短絡装置２０１の取付作業上のミスを防ぐことができる。また、短絡装置２０１は、このような構成を有するプラグ受け２０２が三つ積み重ねられていて集約されている。このため、作業者は、短絡装置２０１を電力量計１０１に取り付ける作業を行いやすい。
【００３１】
図３は、短絡プラグ３０１及びプラグ受け２０２の外観斜視図である。短絡プラグ３０１は、長尺で平板形状の基部３０２を基本とする。基部３０２は、絶縁性を有し柔軟性を有しない部材で形成される。そして、この基部３０２は、電力量計１０１と電線１０２（電源側電線１０２ａ、負荷側電線１０２ｂ）との間に位置付けられた短絡装置２０１のプラグ受け２０２に対して装着されると、ケース１０３を閉じるケースカバー１０３ａに干渉してケース１０３を閉じさせないようにする大きさを有している（図６参照）。基部３０２は、一端側に、作業者が感電することなく持つことができる把持部３０３を有する。また、基部３０２は、他端側に二本のプラグ体３０４を有する。二本のプラグ体３０４は、いずれも、プラグソケット２０３の挿入孔部２０３ａに着脱自在に嵌合する形状を有する。これらの二本のプラグ体３０４は、基部３０２の端面から、同じ向きに突出している。基部３０２は、内部に連結部３０６を有する。連結部３０６は、導電性を有する部材で形成され、二本のプラグ体３０４を連結している。
【００３２】
図４（ａ）及び図４（ｂ）は、短絡プラグ３０１の先端部分を示す断面図である。プラグ体３０４は、先端部分に、凸部３０５を有する。凸部３０５は、プラグ体３０４の軸の放射方向に飛び出ている。凸部３０５は、プラグ体３０４の軸中心方向に向けて押すことにより引っ込み、その押し込む力を弱めると元の形に復元しようとするものであり、その一例は、図４（ａ）及び図４（ｂ）に示すようなプラグ体３０４の外側に膨らんだ金属体である。この凸部３０５は、プラグ体３０４の先端側を細くし、この細い部分（細軸部３０４ａ）の長さＬよりも長い金属板を細軸部３０４ａの外周に沿う形状に曲げてプラグ体３０４の軸心方向に数本の切れ込みを入れ、この金属板の先端側を押して金属板を外側に膨らませ、細軸部３０４ａの先端に抜止体３０４ｂを取り付けることで形成される。
【００３３】
プラグ体３０４がプラグソケット２０３に装着されると（図４（ｂ））、凸部３０５は、プラグソケット２０３の内壁面２０３ｂの端部に当接してプラグ体３０４の軸中心方向に撓む。このとき、凸部３０５は自身の有する復元力によってプラグソケット２０３の内壁面２０３ｂを強く押し、この内壁面２０３ｂと凸部３０５との間の摩擦力が高まる。その結果、プラグソケット２０３はプラグ受け２０２から脱落しにくくなる。
【００３４】
図５は、プラグ受け２０２に装着される短絡プラグ３０１を示す右側面図である。以上のような構成において、作業者は、短絡プラグ３０１のプラグ体３０４を、短絡装置２０１を構成する三つのプラグ受け２０２のプラグソケット２０３に一つずつ装着する。これにより、電源側電線１０２ａを構成する配線１０７と負荷側電線１０２ｂを構成する配線１０７は、短絡する。ここで、短絡プラグ３０１から突出するプラグ体３０４は、プラグソケット２０３の挿入孔部２０３ａに嵌合する形状を有して同じ向きに基部３０２から突出しているため、作業者が異なるプラグ受け２０２のプラグソケット２０３に一の短絡プラグ３０１が有する二つのプラグ体３０４を別々に装着してしまうようなことはない。また、プラグ体３０４は、三つのプラグ受け２０２に一度に装着されるものではなく、図５に示すように、一つのプラグ受け２０２に装着されるものであるため、作業者は、プラグ体３０４をプラグ受け２０２に装着する際に大きな力を加える必要がなくなる。そして、プラグソケット２０３の挿入孔部２０３ａが一つの面にまとめられていることにより、作業者は、短絡プラグ３０１をプラグ受け２０２に装着する作業を素早く行うことができる。さらに、プラグ体３０４は先端部分に凸部３０５を有しており、短絡プラグ３０１がプラグソケット２０３に装着されても脱落しにくい。
【００３５】
図６は、プラグ受け２０２に短絡プラグ３０１が装着された状態の電力量計１０１を示す右側面図である。本実施の形態のプラグ受け２０２を備える短絡装置２０１及び短絡プラグ３０１によれば、作業者が短絡プラグ３０１を各プラグ受け２０２に装着することで、電力量計１０１から延出する電源側電線１０２ａと負荷側電線１０２ｂとを簡易かつ安全に短絡させ、需要家で停電を生じさせることなく、電力量計１０１を交換したり点検したりすることができる。
【００３６】
より詳細に説明すると、作業者は、まず、ケースカバー１０３ａを取り去って電力量計１０１を露出させる。次に、作業者は、三つのプラグ受け２０２のそれぞれに対して、プラグソケット２０３に短絡プラグ３０１を一つずつ差し込む。このとき、各プラグ受け２０２（第１のプラグ受け２０２ａ、第２のプラグ受け２０２ｂ、第３のプラグ受け２０２ｃ）に対する短絡プラグ３０１の装着の順番は問わない。これにより、電源側電線１０２ａを構成する配線１０７と負荷側電線１０２ｂを構成する配線１０７とのうち等電位のもの同士が順々に短絡する。このように、電源側電線１０２ａを構成する配線１０７と負荷側電線１０２ｂを構成する配線１０７との等電位同士のものを一組ずつ短絡する。
【００３７】
作業者が、全てのプラグ受け２０２に対して短絡プラグ３０１を装着すると、電力量計１０１には電源側から負荷側への迂回通電回路が形成される。この状態で、作業者は、取付端子カバー１０９を取り外し、各短絡装置２０１から延出するコード２０４の先端を取付端子１０８から取り外して、電力量計１０１を交換する。このとき、電力量計１０１には電流が流れていない。このため、作業者は、需要家にて停電を生じさせること無く、電力量計１０１を取り外すことができる。
【００３８】
その後、作業者は、新たな電力量計１０１をケース１０３内に位置付け、各コード２０４を各取付端子１０８に装着し、取付端子カバー１０９を取り付け、電源側電線１０２ａを一方の凹部１０２ｄに負荷側電線１０２ｂを他方の凹部１０２ｄにそれぞれ位置付けた状態で、ケースカバー１０３ａを装着してケース１０３を閉じる。その結果、電力量計１０１はケースカバー１０３ａに覆われた状態でケース１０３に収納され、一方の挿入孔部１０２ｃからは電源側電線１０２ａが、他方の挿入孔部１０２ｃからは負荷側電線１０２ｂが延出し、電力量計１０１交換前の状態と同じになる。このとき、作業者がプラグ受け２０２から短絡プラグ３０１の取り外しを忘れたままでケース１０３をケースカバー１０３ａで閉じようとしても、短絡プラグ３０１の基部３０２がケースカバー１０３ａに干渉し、ケース１０３を閉じることができない。このため、作業者は、電力量計１０１の交換作業が終了した後に、短絡プラグ３０１をプラグ受け２０２から取り外し忘れを防止することができる。
【００３９】
次いで、本発明の別の実施の一形態（第二の実施の形態）について、図７に基づいて説明する。この場合、第一の実施の形態と同一の部分は同一の符号で示し、説明も省略する。
【００４０】
図７（ａ）及び（ｂ）は、短絡装置２０１に取り付けられるカバー４０１の外観斜視図である。本実施の形態において、短絡装置２０１には、カバー４０１が装着される。カバー４０１は、直方体形状であって、短絡装置２０１に装着された状態でケース１０３を閉じるケースカバー１０３ａに干渉しない大きさである。このカバー４０１は、一つの開口面４０２を有する。そして、カバー４０１は、内部に短絡装置２０１を収納するための収納空間４０３を形成している。この収納空間４０３の内周面は、三つのプラグ受け２０２のハウジング２０６が積み重ねて集約され構成された短絡装置２０１の外周面にフィットする形状を有する。
【００４１】
カバー４０１は、短絡装置２０１においてプラグソケット２０３の挿入孔部２０３ａが並ぶ一側面を開口面４０２から導入し、この一側面を収納空間４０３の底面４０４に向けた状態で、収納空間４０３に短絡装置２０１を収納する。その結果、プラグソケット２０３の挿入孔部２０３ａは、カバー４０１によって隠される。このように、短絡装置２０１の外周面２１３は、プラグソケット２０３が並ぶ側面を覆う位置にカバー４０１を装着するためのカバー取付部として機能する。
【００４２】
本実施の形態のプラグ受け２０２を備える短絡装置２０１及び短絡プラグ３０１によっても、短絡プラグ３０１を各プラグ受け２０２に装着することで、電源側電線１０２ａ及び負荷側電線１０２ｂにおける各配線１０７を等電位同士で一組ずつ短絡させることができ、従って、電力量計１０１から延出する電源側電線１０２ａと負荷側電線１０２ｂとを簡易かつ安全に短絡させることができる。さらに、本実施の形態では、作業者は、短絡装置２０１からカバー４０１を取り外さない限り短絡プラグ３０１をプラグ受け２０２に装着することができない。そこで、作業者が、プラグ受け２０２に短絡プラグ３０１を取り付けていない間にはカバー４０１を取りつけておくという電力量計１０１の管理運用を行っていれば、作業者は、カバー４０１が短絡装置２０１に取り付けられているか否かを見るだけで、プラグ受け２０２に短絡プラグ３０１が装着されているか否かを判断することができるようになる。その結果、作業者は、電力量計１０１の交換作業が終了した後に、短絡プラグ３０１をプラグ受け２０２から取り外しを忘れることが無くなる。
【符号の説明】
【００４３】
１０１      電力量計
１０２      電線
１０２ａ    電源側電線
１０２ｂ    負荷側電線
１０４      第１の電圧線
１０５      中性線
１０６      第２の電圧線
１０７      配線
２０１      短絡装置（集約されたプラグ受け）
２０２      プラグ受け
２０３      プラグソケット
２０３ａ    挿入孔部
２０４      コード（第１のコード、第２のコード）
２０６      ハウジング
２１３      外周面（カバー取付部）
３０１      短絡プラグ
３０４      プラグ体
４０１      カバー
【図１】
2010237052.tif 000003
【図２】
2010237052.tif 000004
【図３】
2010237052.tif 000005
【図４】
2010237052.tif 000006
【図５】
2010237052.tif 000007
【図６】
2010237052.tif 000008
【図７】
2010237052.tif 000009